(57)【特許請求の範囲】
【請求項１】
耐震補強すべき既設構築物に形成した開口部内面に、長手方向に多数のスタッドジベルを植設したチャンネル形の型鋼材よりなる基板を配置固定すると共に、上記開口部内に鉄筋を配し、その鉄筋の上記開口部周縁における躯体との接続部位置に支圧破壊防止用のスパイラル筋を挿入し、そのスパイラル筋と上記鉄筋およびスタッドジベルを埋め込むようにして上記開口部内にコンクリートを打設して耐力壁を構築することを特徴とする既設構築物の耐震改修方法。
【請求項２】
前記基板は、開口部内面に対して接着材により、又は接着剤とアンカーボルトとを併用して配置固定させてなる請求項１記載の既設構築物の耐震改修方法。
【発明の詳細な説明】
【０００１】
【発明が属する技術分野】
本発明は、例えば病院やオフィッスビル等の既設構築物を耐震補強する場合などに適用する耐震改修方法に関する。
【０００２】
【従来の技術】
従来、上記のような既設構築物において耐震性能が所定の基準値を下回る場合に、既設構築物の壁の足りない部分、あるいは既設の強度の低い壁を除去する等して開口部を形成し、その開口部内にＲＣ（鉄筋コンクリート製の）耐力壁を増築して構築物全体の耐力を増強する耐震改修方法が知られている。
【０００３】
図５〜図７は従来の耐震改修方法の施工例を示すもので、先ず、既設構築物に形成した開口部Ｓの内面の柱や梁等の躯体Ｒにアンカーボルト１を約１５０〜２００ｍｍ程度のピッチで打設する。一方、耐力壁Ｗを形成する部分には、鉄筋２を所定ピッチで格子状に、かつ２列（２重）に配筋し、また柱や梁等の躯体との接続部位置には支圧破壊防止用のスパイラル筋３を挿入する。そして、上記鉄筋の両側に型枠（不図示）を組み、でコンクリートを打設して耐力壁Ｗを形成し、上記アンカーボルト１を接合筋とする形で、開口部内面の柱や梁等と新たに形成した耐力壁Ｗを一体化する。
【０００４】
【発明が解決しようとする課題】
ところで、上記の駆体側に打設するアンカーボルト１は、耐力壁側の上記２列の鉄筋のセンターに位置するように、さらに躯体に対して真っ直ぐに設けることが好ましい。しかし、多数のアンカーボルトを常に躯体に対して真っ直ぐに打設するのは難しい。またアンカーボルト打設のためにコンクリートの駆体に穿孔を行うと、その穿孔位置にもともと埋設されていた鉄筋にドリル等が当たって鉄筋切断を回避するために穿孔位置をずらす必要が生じ、アンカーボルトを設計通りに打設できない場合がある。しかも、アンカーボルトは接合筋としての役割を果たすところから多数打たなければならず、ピッチも狭いため、位置をずらすのも困難で、施工に時間がかかる。またアンカーボルトを打設する際には、穿孔時に騒音、振動、粉塵が発生するため、これを多数本打設する場合には、耐震改修すべき建物等の使用を一時中断せざるを得ない。従って、なるべく短い工期で精度よく耐震改修を行うことが課題となっている。
【０００５】
本発明は上記の問題点に鑑みて提案されたもので、既設構築物を容易・迅速に耐震補強することのできる耐震改修方法を提供することを目的とする。
【０００６】
【課題を解決するための手段】
上記の目的を達成するため、本発明による既設構築物の耐震改修方法は、以下の構成としたものである。
【０００７】
即ち、耐震補強すべき既設構築物に形成した開口部内面に、長手方向に多数のスタッドジベルを植設したチャンネル形の型鋼材よりなる基板を配置固定すると共に、上記開口部内に鉄筋を配し、その鉄筋の上記開口部周縁における躯体との接続部位置に支圧破壊防止用のスパイラル筋を挿入し、そのスパイラル筋と上記鉄筋および上記スタッドジベルを埋め込むようにして上記開口部内にコンクリートを打設して耐力壁を構築することを特徴とする。
【０００８】
【発明の実施の態様】
以下、本発明による既設構築物の耐震改修方法を図に基づいて具体的に説明する。図１は本発明による耐震改修方法の施工例を示す正面図、図２はその一部の拡大図、図３（ａ）・（ｂ）はそれぞれ図２におけるＡ−Ａ・Ｂ−Ｂ線断面図、図４は施工プロセスの一例を示す説明図であり、前記従来例と同様の機能を有する部材には同一の符号を付して説明する。
【０００９】
本発明の耐震改修方法を実行するに当たっては、先ず耐震改修すべきコンクリート製のビル等の既設構築物の外壁等に開口部Ｓを形成するもので、その箇所に既存の壁やサッシ等がある場合にはそれを除去して所定の大きさの開口部を形成する。その場合、柱や梁等で囲まれた領域内の壁はすべて除去し、開口部の全周が柱や梁で囲まれた状態にするのが望ましい。
【００１０】
上記のようにして形成した開口部Ｓの内面に、前記従来例におけるアンカーボルト１の代わりに、図４（ａ）に示すようにスタッドジベル１１を多数植設した基板１０を設置固定する。その基板１０は、本実施形態においてはチャンネル形の型鋼材が用いられ、その基部内面の略中央部に１列または２列に上記スタットジベル１１が植設されている。そのスタッドジベル１１は、金属鋼材等により一端に大径の頭部１１ａを有する丸棒状に形成され、その頭部１１と反対側の端部を基板１０に予め溶接等で固着した構成である。又そのスタッドジベル１１は、図１に示すように基板１０の長手方向に略等間隔に多数設けられ、そのピッチは前記従来例におけるアンカーボルト１と同様に約１５０〜２００ｍｍ程度に設定されている。
【００１１】
上記各基板１０は、前記開口部Ｓの内面の躯体Ｒに対して接着剤１２と複数本のアンカーボルト１３で取付けるようにしたもので、図の場合は上記開口部Ｓの内面と基板１０との間に後から接着剤を充填する、いわゆる後充填式のエポキシ樹脂系接着剤１２と、約９００ｍｍ程度のピッチで略等間隔に配置した４つのアンカーボルト１３によって各基板１０を取付けている。その各アンカーボルト１３は本例においては全ねじボルトが用いられ、図３（ｂ）に示すように開口部Ｓの内面に形成した孔内に接着材とともに挿入することによって固着され、その各アンカーボルト１３にねじ込んだナット１４により基板１０を固定する構成である。なお上記基板１０およびスタッドジベル１１は本実施形態においては図１に示すように開口部Ｓの四周に設けられているが、図４においては煩雑を避けるために向こう側の基板１０とスタッドジベル１１は図に省略した。
【００１２】
次に、上記のように開口部Ｓの内面に固着した基板１０およびスタッドジベル１１の内方に、図４（ｂ）のように鉄筋２を配置する。その鉄筋２は本実施形態においては前記従来と同様に所定ピッチで図１及び図２に示すように格子状に、かつ図３に示すように２列（２重）に配筋し、開口部周縁の柱や梁等の躯体との接続部位置には支圧破壊防止用のスパイラル筋３を挿入する。そのスパイラル筋３は開口部内面の周方向略全周に設けられるが、図２においては一部のみを示す。
【００１３】
次いで、上記基板１０の両側に開口部Ｓの略全面を塞ぐように型枠（不図示）を組み、その型枠内にコンクリートを打設して図４（ｃ）のように耐力壁Ｗを形成し、上記アンカーボルト１を接合筋とする形で開口部周縁の柱や梁等と上記耐力壁Ｗとを一体化するものである。
【００１４】
なお、上記実施形態においては、基板１０の取付け手段として、開口部Ｓの内面に形成した孔内に接着材とともにアンカーボルト１３を挿入して固着し、そのアンカーボルト１３にねじ込んだナット１４により基板１０を固定するようにしたが、例えば拡開式のアンカーを用いる等その他適宜である。
【００１５】
また上記基板１０は、開口部内面に対して接着剤１２とアンカーボルトとで固着したが、アンカーボルトの代わりに拡開式アンカー等を用いてもよく、又そのようなアンカーボルトや拡開式アンカー等を用いることなく接着剤のみで取付けることも可能である。
【００１６】
【発明の効果】
以上のように本発明による既設構築物の耐震改修方法は、前記従来の開口部内面に打設されるアンカーボルト１の代わりに、スタッドジベル１１を予め基板１０に多数植設した状態で開口部内面に取付けるようにしたから、その基板１０を例えばアンカーボルト１３で取付ける場合にも、そのアンカーボルト１３は基板１０を支持し得るだけの極く少ない本数でよく、前記従来の場合に比べてアンカーボルトの打設本数を可及的に低減できる。また上記基板１０へのスタッドジベルの植設作業は工場で行うことができるので、スタッドジベルを所定のピッチで、かつ真っ直ぐに容易に配置できる。この結果、従来のようにアンカーボルト１を多数打設する面倒がなく、現場での作業を大幅に軽減しながら、信頼性の高い施工状態、即ち既設の構築物とブレース２との一体性が高い施工が可能となる。
【００１７】
また上記の基板を取付けるためのアンカーボルト１３はピッチ（間隔）を広くあけて打設すればよいので、アンカーボルト打設用の穿孔を施す際に、躯体内の既設の鉄筋に当たった場合、もしくは当たるおそれがある場合には、打設位置を容易に変更することができる。
【００１８】
さらに上記のようにアンカーボルトの打設本数が少ないので、騒音、振動、粉塵等の発生が少なく、既設構築物を使用したままで工事を行うことも可能であり、また上記のように基板１０を開口部内面に接着剤のみで固着する場合には、削孔作業が不要となって、更に騒音、振動、粉塵等の発生が低減され、例えば病院や校舎もしくは庁舎等の改修工事にも良好に適用できる等の効果がある。
【図面の簡単な説明】
【図１】本発明による既設構築物の耐震改修方法の施工例を示す正面図。
【図２】上記施工例の一部の拡大図。
【図３】（ａ）・（ｂ）はそれぞれ図２におけるＡ−Ａ・Ｂ−Ｂ線断面図。
【図４】本発明による既設構築物の耐震改修方法の施工手順を示す説明図。
【図５】従来の既設構築物の耐震改修方法の一例を示す正面図。
【図６】上記従来例の一部の拡大図。
【図７】図６におけるＣ−Ｃ線断面図。
【符号の説明】
１  アンカーボルト
１０  基板
１１  スタッドジベル
１２  接着剤
１３  アンカーボルト
１４  ナット
２  鉄筋
３  スパイラル筋
Ｓ  開口部
【図１】
0003633814.tif 000002
【図２】
0003633814.tif 000003
【図３】
0003633814.tif 000004
【図４】
0003633814.tif 000005
【図５】
0003633814.tif 000006
【図６】
0003633814.tif 000007
【図７】
0003633814.tif 000008